(57)【要約】【課題】燃料タンクを保護することできる赤外線放射ヒータを提供する。【解決手段】燃焼空間を有する燃焼室と、燃焼室の内部で燃料及び空気を混合させた混合気を燃焼させる燃焼装置と、燃焼室の燃焼空間と連通する管であり、燃焼装置が発する熱により管壁が加熱されて管壁から赤外線を放射する放射部と、燃焼装置及び放射部の下方の底部に設けられる燃料タンクと、底部に沿って形成される底面及び底面と接して設けられる立設面を有し、底部から燃料タンクを覆うタンクカバーと、を備える。【選択図】図１
2019027631.tif 000002
【特許請求の範囲】
【請求項１】
燃焼空間を有する燃焼室と、
前記燃焼室の内部で燃料及び空気を混合させた混合気を燃焼させる燃焼装置と、
前記燃焼室の燃焼空間と連通する管であり、前記燃焼装置が発する熱により管壁が加熱されて前記管壁から赤外線を放射する放射部と、
前記燃焼装置及び前記放射部の下方の底部に設けられる燃料タンクと、
前記底部に沿って形成される底面及び前記底面と接して設けられる立設面を有し、前記底部から前記燃料タンクを覆うタンクカバーと、
を備える、
赤外線放射ヒータ。
【請求項２】
前記立設面は、前記放射部の延伸方向に沿った方向が長手方向になるように形成される、
請求項１記載の赤外線放射ヒータ。
【請求項３】
前記タンクカバーは、前記底面の短手方向の端部から下方に延びる鍔を備える、
請求項１または２に記載の赤外線放射ヒータ。
【請求項４】
前記立設面は、短手方向から見た断面形状が略逆台形状である、
請求項１乃至３のいずれかに記載の赤外線放射ヒータ。
【請求項５】
前記タンクカバーは、前記立設面と前記底面との接する角度が鈍角である、
請求項１乃至４のいずれかに記載の赤外線放射ヒータ。
【発明の詳細な説明】
【技術分野】
【０００１】
本発明は、赤外線放射ヒータに関する。
【背景技術】
【０００２】
装置の下方に設置され燃料及び空気を混合させた混合気を燃焼室内で燃焼させる燃焼装置と、燃焼室の一方に接続されて赤外線を放射させるための迂回路状の放射回路（放射管）とを備える赤外線放射ヒータが知られている（例えば、特許文献１参照）。特許文献１の赤外線放射ヒータは、燃焼装置や燃焼室の下方にあたる装置の底部に灯油などの燃料を貯蔵する燃料タンクが設けられる。
【０００３】
また、別の態様の赤外線放射ヒータとして、燃料タンクおよび燃焼装置を支持するフレームに燃料タンクよりも前側に張り出す一対のタンクガード部を備える可搬式ヒータが知られている（例えば、特許文献２参照）。
【先行技術文献】
【特許文献】
【０００４】
【特許文献１】特開平５−３９９２４号公報
【特許文献２】特開２００９−５２７８０号公報
【発明の概要】
【発明が解決しようとする課題】
【０００５】
ところで、特許文献１の赤外線放射ヒータを含む、従来の赤外線放射ヒータは、大型で重量が重いため、フォークリフトなどの運搬用輸送機器を用いて移動させることがある。この場合、フォークリフトのフォークは、赤外線放射ヒータの底面にある燃料タンクを下から支持して赤外線放射ヒータを持ち上げて移動させる。
【０００６】
しかしながら、上述のようにフォークリフトを用いて従来の赤外線放射ヒータを運搬する場合には、フォークを燃料タンクに接触させて装置を支持するため、燃料タンクに傷やへこみが生じる可能性があった。また、従来の赤外線放射ヒータを運搬する場合には、フォークリフトのフォークのような先端の尖った部材が燃料タンクの表面、特に装置の正面または背面側のタンク表面に接触するおそれがあった。特許文献２の赤外線放射ヒータであっても、タンクガード部がパイプフレームによって構成されているため、フォーク先端の尖った部分が燃料タンクの表面に接触してしまうおそれがあった。
【０００７】
本発明は、燃料タンクを保護することできる赤外線放射ヒータを提供することを目的とする。
【課題を解決するための手段】
【０００８】
本発明は、燃焼空間を有する燃焼室と、燃焼室の内部で燃料及び空気を混合させた混合気を燃焼させる燃焼装置と、燃焼室の燃焼空間と連通する管であり、燃焼装置が発する熱により管壁が加熱されて管壁から赤外線を放射する放射部と、燃焼装置及び放射部の下方の底部に設けられる燃料タンクと、底部に沿って形成される底面及び底面と接して設けられる立設面を有し、底部から燃料タンクを覆うタンクカバーと、を備える。
【０００９】
また、本発明は、立設面が、放射部の延伸方向に沿った方向が長手方向になるように形成されてもよい。
【００１０】
また、本発明は、タンクカバーが、底面の短手方向の端部から下方に延びる鍔を備えてもよい。
【００１１】
また、本発明は、立設面は、短手方向から見た断面形状が略逆台形状であってもよい。
【００１２】
また、本発明は、タンクカバーが、立設面と底面との接する角度が鈍角であってもよい。
【発明の効果】
【００１３】
本発明によれば、燃料タンクを保護することできる赤外線放射ヒータを提供することができる。
【図面の簡単な説明】
【００１４】
【図１】本発明の実施形態に係る赤外線放射ヒータを示す斜視図である。
【図２】図１の赤外線放射ヒータの正面図である。
【図３】図１の赤外線放射ヒータの右側面図である。
【図４】図１の赤外線放射ヒータの内部構造を示す模式図である。
【図５】図１の赤外線放射ヒータの底面図である。
【図６】図１の赤外線放射ヒータのタンクカバーの斜視図である。
【図７】図６のタンクカバーの正面図である。
【図８】図６のタンクカバーの側面図である。
【発明を実施するための形態】
【００１５】
以下、本発明の実施形態を、図面に基づいて説明する。
【００１６】
［赤外線放射ヒータの構成］
図１は、本発明の実施形態に係る赤外線放射ヒータ１を示す斜視図である。また、図２は、赤外線放射ヒータ１の正面図である。図１及び図２に示すように、赤外線放射ヒータ１は、外部に露出している構成要素として、フレーム２と、パネル３と、メッシュ部４と、キャスタ５と、スイッチ６と、燃料タンク７と、煙突８とを備える。
【００１７】
以下の説明において、赤外線放射ヒータ１のメッシュ部４が設けられる面を正面、正面の反対の面（図２の紙面の裏面方向から見た面）を背面とする。また、赤外線放射ヒータ１の設置面に向かい合う面、つまり、赤外線放射ヒータ１において、キャスタ５や燃料タンク７が設けられる面を底面とする。
【００１８】
赤外線放射ヒータ１は、略直方体形状である。赤外線放射ヒータ１は、正面視において水平方向の長さに対して垂直方向（高さ方向）の長さが短い、略長方形の形状である。
【００１９】
図３は、赤外線放射ヒータ１の側面図である。図３に示すように、赤外線放射ヒータ１は、側面視において垂直方向の長さに対して水平方向（奥行方向）の長さが短い、略長方形の形状である。
【００２０】
フレーム２は、燃焼装置、燃焼室、放射部などの赤外線放射ヒータ１の主要な構成要素を収容する。フレーム２は、赤外線放射ヒータ１の略直方体形状の外形形状を形成する。フレーム２は、燃焼室や放射部など、赤外線放射ヒータ１の使用時に高温となる構成要素を収容するのに適した、高温に強い金属材料などにより構成される。
【００２１】
パネル３は、赤外線放射ヒータ１の内部構造を外部から覆っている。パネル３は、後述する燃焼室や放射部からの熱に耐えるため、例えば金属製の板状部材により構成される。
【００２２】
メッシュ部４は、図２に示すように、例えば放射部１１からの赤外線を外部に放射させるために、パネル３の一部に設けられる網目状の開口である。
【００２３】
キャスタ５は、フレーム２の底部の四隅付近に取り付けられる。キャスタ５には、車輪が設けられるため、赤外線放射ヒータ１をユーザが手押しして容易に移動させることができる。赤外線放射ヒータ１において、装置を設置面に支持するための脚部は、車輪付きのキャスタ５ではなく車輪なしでもよい。
【００２４】
スイッチ６は、運転のＯＮ／ＯＦＦ、燃焼強度や温度設定などの赤外線放射ヒータ１の操作をユーザから受け付ける。スイッチ６は、受け付けた操作に応じた赤外線放射ヒータ１の運転動作の制御を行う制御部を備える。スイッチ６は、例えばパネル３における上方の位置のように、ユーザが操作しやすい位置に設けるのが望ましい。
【００２５】
[赤外線放射ヒータの内部構造]
次に、赤外線放射ヒータ１の内部構造を説明する。
【００２６】
図４は、赤外線放射ヒータ１の内部構造を示す模式図である。図４に示すように、赤外線放射ヒータ１は、フレーム２の内部に、燃焼装置９と、燃焼室１０と、放射部１１とを備える。燃焼装置９は、赤外線放射ヒータ１のフレーム２の下方に配置される。燃焼装置９は、燃焼室１０の内部に燃料及び空気を送り込んで混合させて、その混合気を燃焼室１０の内部で燃焼させるノズル、ファン、燃料供給装置などを有する。
【００２７】
燃焼室１０は、赤外線放射ヒータ１のフレーム２の下方において燃焼装置９に隣接して配置される。燃焼室１０は、上述のように燃焼装置９からの混合気を燃焼室１０の内部で燃焼させるために、燃焼空間を有する。
【００２８】
放射部１１は、燃焼室１０の燃焼空間と連通する管である。放射部１１は、燃焼装置９が発する熱が燃焼室１０の内部を伝達することで管壁が加熱される。その結果、放射部１１は、管壁から赤外線放射ヒータ１の外部に赤外線を放射する。
【００２９】
排出管１２は、放射部１１と連通する空間を有する。排出管１２は、放射部１１を経由した空気（熱風）を外部に排出する。排出管１２の他端には、温風を外部に排出する煙突８が設けられる。
【００３０】
[燃料タンク及びタンクカバーの構成]
次に、赤外線放射ヒータ１の燃料タンク７及びタンクカバー７３の構成を説明する。
【００３１】
図４に示すように、燃料タンク７は、燃焼装置９、燃焼室１０、及び放射部１１の下方、つまり、赤外線放射ヒータ１の底部に設けられる。燃料タンク７には、灯油など赤外線放射ヒータ１の燃料が貯蔵されている。燃料タンク７は、正面視において水平方向に長いフレーム２の底面に沿う方向が長手方向となる形状を有する。
【００３２】
図３に示すように、燃料タンク７には、給油口にキャップ７２が取り付けられている。キャップ７２は、フレーム２の右側方に設けられる給油用開口７１から外部に露出している。燃料タンク７に給油する際には、キャップ７２を外した給油口から燃料が注入される。
【００３３】
図５は、赤外線放射ヒータ１の底面図である。図５に示すように、赤外線放射ヒータ１の底部には、底部から燃料タンク７を覆って燃料タンク７を保護するタンクカバー７３が設けられる。
【００３４】
図６は、赤外線放射ヒータ１のタンクカバー７３の斜視図である。図７は、タンクカバー７３の正面図である。図８は、タンクカバー７３の側面図である。図６乃至図８に示すように、タンクカバー７３は、鋼板などの硬質の板状部材を接合やプレスなどにより成型して形成されている。タンクカバー７３は、略柱体状の下底面に相当する部分が開放された、側面視（短手方向）の断面形状が略逆台形状の樋のような形状に形成される。タンクカバー７３は、底面７３１と、立設面７３２と、鍔７３３と、リブ７３４と、ボルト孔７３５とを有する。
【００３５】
底面７３１は、赤外線放射ヒータ１の底部に沿って略平面状に形成されている。底面７３１は、フォークリフトのフォークなど、外部の物体との接触から燃料タンク７の底部側を保護する。
【００３６】
立設面７３２は、側面視における略逆台形状の斜辺に相当する面である。立設面７３２は、底面７３１から見ると底面７３１に接して（底面７３１から延びるように）設けられる。立設面７３２は、正面視において放射部１１の放射管の延伸方向（軸方向）が長手方向になるように設けられる。立設面７３２は、赤外線放射ヒータ１の正面または背面方向から底部に不図示のフォークリフトのフォークなどの硬質の搬送用部材が挿入される際に、燃料タンク７の正面または背面部分を保護する。
【００３７】
タンクカバー７３において、立設面７３２と底面７３１とが短手方向において接する角度は、直角よりも大きい角度、つまり鈍角である。このような形状により、立設面７３２は、赤外線放射ヒータ１の正面または背面方向から底部に向かってフォークリフトのフォークなどが挿入される際に、フォークを下方に案内することができる。このため、立設面７３２の形状により、タンクカバー７３は、燃料タンク７の正面または背面方向の側面部分を保護することができる。
【００３８】
鍔７３３は、底面７３１の短手方向（側面方向）の端部の辺から下方（装置の底部から設置面方向）に延びるように設けられる。鍔７３３は、赤外線放射ヒータ１の正面または背面方向からフォークリフトのフォークなどが挿入される際に、フォークを底面７３１に案内することができる。また、鍔７３３は、底面７３１に挿入されたフォークが底面７３１から外れてしまうことを防止して、安定的にフォークを底面７３１に案内することができる。
【００３９】
リブ７３４は、立設面７３２の底面７３１側とは反対側の端に設けられる。リブ７３４は、正面側及び背面側の両方の立設面７３２に設けられる。リブ７３４には、タンクカバー７３を底部側のフレーム２に取り付けるために、複数のボルト孔７３５が設けられる。つまり、タンクカバー７３は、ボルト孔７３５にボルト７４を挿通し、ボルト７４をフレーム２に螺合させることで、フレーム２に取り付けられる。
【００４０】
［実施形態の効果］
以上説明した本実施形態に係る赤外線放射ヒータ１によれば、タンクカバー７３を備えることで、フォークリフトのフォークなどで赤外線放射ヒータ１の底部を支持して運搬する際に、燃料タンク７の底部を保護することができる。
【００４１】
また、タンクカバー７３は、底面７３１に設けられる立設面７３２を有するため、赤外線放射ヒータ１の正面または背面方向から底部に向けて搬送用部材が挿入される際に、燃料タンク７の正面または背面部を保護することができる。
【００４２】
また、タンクカバー７３は、立設面７３２と底面７３１とが短手方向において鈍角で接しているため、赤外線放射ヒータ１の正面または背面方向から底部にフォークリフトのフォークなどが挿入される際に、フォークを下方の底面７３１に案内することができる。
【００４３】
また、タンクカバー７３は、側面方向の端部に下方に立ち上げられて設けられる鍔７３３を備えるため、赤外線放射ヒータ１の正面または背面方向から挿入されたフォークを底面７３１に案内することができる。また、鍔７３３は、底面７３１に挿入されたフォークが底面７３１から外れてしまうことを防止して、安定的にフォークを底面７３１に案内することができる。
【符号の説明】
【００４４】
１      ：赤外線放射ヒータ
２      ：フレーム
３      ：パネル
４      ：メッシュ部
５      ：キャスタ
６      ：スイッチ
７      ：燃料タンク
８      ：煙突
９      ：燃焼装置
１０    ：燃焼室
１１    ：放射部
７１    ：給油用開口
７２    ：キャップ
７３    ：タンクカバー
７３１  ：底面
７３２  ：立設面
７３３  ：鍔
７３４  ：リブ
７３５  ：ボルト孔
７４    ：ボルト
【図１】
2019027631.tif 000003
【図２】
2019027631.tif 000004
【図３】
2019027631.tif 000005
【図４】
2019027631.tif 000006
【図５】
2019027631.tif 000007
【図６】
2019027631.tif 000008
【図７】
2019027631.tif 000009
【図８】
2019027631.tif 000010